(57)【要約】【課題】特性を向上させることができる圧電振動素子を提供する。【解決手段】水晶振動素子５は、平面視において１対の長辺１５ｎ及び１対の短辺１５ｓを有している板状の水晶片１５と、水晶片１５の両主面に重なっている１対の励振電極１７と、を有している。１対の励振電極１７それぞれは、平面視において、１対の短辺１５ｓの内側にて１対の短辺１５ｓに沿って延びている１対の短縁１７ｓと、１対の長辺１５ｎの内側にて１対の長辺１５ｎに沿って延びている１対の長縁１７ｎと、を有している。１対の短縁１７ｓは、１対の短辺１５ｓに平行な直線状であり、１対の長縁１７ｎは、平面視において外側に膨らむ形状である。【選択図】図１
2018088657.tif 000002
【特許請求の範囲】
【請求項１】
平面視において１対の長辺及び１対の短辺を有する板状の圧電片と、
前記圧電片の両主面に重なっている１対の励振電極と、
を有しており、
前記１対の励振電極それぞれは、平面視において、
前記１対の短辺の内側にて前記１対の短辺に沿って延びている１対の短縁と、
前記１対の長辺の内側にて前記１対の長辺に沿って延びている１対の長縁と、を有しており、
前記１対の短縁は、前記１対の短辺に平行な直線状であり、
前記１対の長縁は、平面視において外側に膨らむ形状である
圧電振動素子。
【請求項２】
前記圧電片は平板状である
請求項１に記載の圧電振動素子。
【請求項３】
前記圧電片は、
前記１対の励振電極が重なっているメサ部と、
前記メサ部よりも薄く、かつ平面視において前記メサ部を囲む外周部と、を有しており、
前記メサ部は、平面視において、前記１対の長辺に平行な１対の第２長辺、及び前記１対の短辺に平行な１対の第２短辺を有する形状であり、
前記１対の励振電極は、前記メサ部よりも小さい
請求項１に記載の圧電振動素子。
【請求項４】
前記圧電片をその長手方向に伝搬する屈曲振動による定在波の波長をλＬとしたときに、前記１対の短縁それぞれが、前記長手方向に伝搬する屈曲振動による定在波のいずれかの節から１／８λＬ以内の範囲に位置している
請求項１〜３のいずれか１項に記載の圧電振動素子。
【請求項５】
前記圧電片をその短手方向に伝搬する屈曲振動による定在波の波長をλＷとしたときに、前記１対の長縁それぞれの中央部分が、前記短手方向に伝搬する屈曲振動による定在波のいずれかの節から１／８λＷ以内の範囲に位置している
請求項１〜４のいずれか１項に記載の圧電振動素子。
【請求項６】
前記１対の長縁それぞれは、前記１対の短縁に平行で前記１対の短縁からの距離が等しい線を対称軸として線対称な曲線状である
請求項１〜５のいずれか１項に記載の圧電振動素子。
【請求項７】
前記１対の励振電極と接続されている１対の引出電極を更に有しており、
前記１対の引出電極それぞれは、自己が接続されている励振電極の前記１対の長縁及び前記１対の短縁のうち前記１対の短縁のいずれかのみに接続されている
請求項１〜６のいずれか１項に記載の圧電振動素子。
【請求項８】
前記１対の励振電極と接続されている１対の引出電極を更に有しており、
前記１対の引出電極は、前記１対の短辺の一方に沿って配列されている１対のパッドを含んでいる
請求項１〜７のいずれか１項に記載の圧電振動素子。
【請求項９】
請求項１〜８のいずれか１項に記載の圧電振動素子と、
前記圧電振動素子をパッケージングしているパッケージと、
を有している圧電振動デバイス。
【発明の詳細な説明】
【技術分野】
【０００１】
本開示は、圧電振動素子及び圧電振動デバイスに関する。圧電振動デバイスは、例えば、水晶振動子又は水晶発振器である。
【背景技術】
【０００２】
水晶振動子又は水晶発振器等に用いられる水晶振動素子は、例えば、板状の水晶片と、水晶片の１対の主面（最も広い面。板状部材の表裏。）に重なる１対の励振電極とを有している。このような水晶振動素子としては、例えば、水晶片の平面形状が矩形とされ、１対の励振電極の平面形状が矩形又は楕円形とされたものが知られている（特許文献１及び２）。
【先行技術文献】
【特許文献】
【０００３】
【特許文献１】特開２０１４−０１１６４７号公報
【特許文献２】特開２０１６−０３４１０７号公報
【発明の概要】
【発明が解決しようとする課題】
【０００４】
特性を向上させることができる圧電振動素子及び圧電振動デバイスが提供されることが望まれる。
【課題を解決するための手段】
【０００５】
本開示の一態様に係る圧電振動素子は、平面視において１対の長辺及び１対の短辺を有する板状の圧電片と、前記圧電片の両主面に重なっている１対の励振電極と、を有しており、前記１対の励振電極それぞれは、平面視において、前記１対の短辺の内側にて前記１対の短辺に沿って延びている１対の短縁と、前記１対の長辺の内側にて前記１対の長辺に沿って延びている１対の長縁と、を有しており、前記１対の短縁は、前記１対の短辺に平行な直線状であり、前記１対の長縁は、平面視において外側に膨らむ形状である。
【０００６】
一例において、前記圧電片は平板状である。
【０００７】
一例において、前記圧電片は、前記１対の励振電極が重なっているメサ部と、前記メサ部よりも薄く、かつ平面視において前記メサ部を囲む外周部と、を有しており、前記メサ部は、平面視において、前記１対の長辺に平行な１対の第２長辺、及び前記１対の短辺に平行な１対の第２短辺を有する形状であり、前記１対の励振電極は、前記メサ部よりも小さい。
【０００８】
一例において、前記圧電片をその長手方向に伝搬する屈曲振動による定在波の波長をλＬとしたときに、前記１対の短縁それぞれが、前記長手方向に伝搬する屈曲振動による定在波のいずれかの節から１／８λＬ以内の範囲に位置している。
【０００９】
一例において、前記圧電片をその短手方向に伝搬する屈曲振動による定在波の波長をλＷとしたときに、前記１対の長縁それぞれの中央部分が、前記短手方向に伝搬する屈曲振動による定在波のいずれかの節から１／８λＷ以内の範囲に位置している。
【００１０】
一例において、前記１対の長縁それぞれは、前記１対の短縁に平行で前記１対の短縁からの距離が等しい線を対称軸として線対称な曲線状である。
【００１１】
一例において、前記圧電振動素子は、前記１対の励振電極と接続されている１対の引出電極を更に有しており、前記１対の引出電極それぞれは、自己が接続されている励振電極の前記１対の長縁及び前記１対の短縁のうち前記１対の短縁のいずれかのみに接続されている。
【００１２】
一例において、前記１対の励振電極と接続されている１対の引出電極を更に有しており、前記１対の引出電極は、前記１対の短辺の一方に沿って配列されている１対のパッドを含んでいる。
【００１３】
本開示の一態様に係る圧電振動デバイスは、上記の圧電振動素子と、前記圧電振動素子をパッケージングしているパッケージと、を有している。
【発明の効果】
【００１４】
上記の構成によれば、特性を向上させることができる。
【図面の簡単な説明】
【００１５】
【図１】第１実施形態に係る水晶振動子の概略構成を示す分解斜視図。
【図２】図１の水晶振動子の構成を示す、図１のII−II線における断面図。
【図３】図３（ａ）は図１の水晶振動子の水晶振動素子を示す平面図、図３（ｂ）は図３（ａ）のIIIｂ−IIIｂ線における断面図、図３（ｃ）は図３（ａ）のIIIｃ−IIIｃ線における断面図。
【図４】第２実施形態に係る水晶振動素子の斜視図。
【発明を実施するための形態】
【００１６】
以下、本開示の実施形態について、図面を参照して説明する。なお、以下の説明で用いられる図面は模式的なものであり、図面上の寸法比率等は現実のものとは必ずしも一致していない。便宜上、層状の部材の表面（すなわち断面でない面）にハッチングを付すことがある。
【００１７】
本開示の水晶振動子又は水晶振動素子は、いずれが上方又は下方とされてもよいものであるが、以下では、便宜上、図１及び図２の紙面上方（＋Ｙ′軸方向）を上方として上面又は下面等の用語を用いることがある。また、単に平面視又は平面透視という場合においては、特に断りがない限りは、上記のように便宜的に定義した上下方向において見ることをいうものとする。
【００１８】
＜第１実施形態＞
（水晶振動子の全体構成）
図１は、本開示の実施形態に係る水晶振動子１（以下、「水晶」は省略することがある。）の概略構成を示す分解斜視図である。また、図２は、振動子１の構成を示す、図１のII−II線における断面図である。
【００１９】
振動子１は、例えば、全体として、概略、薄型の直方体状とされる電子部品である。その寸法は適宜に設定されてよい。例えば、比較的小さいものでは、長辺（Ｘ軸方向）又は短辺（Ｚ′軸方向）の長さが１〜２ｍｍであり、厚さ（Ｙ′軸方向）が０．２〜０．４ｍｍである。
【００２０】
振動子１は、例えば、凹部３ａが形成された素子搭載部材３と、凹部３ａに収容された水晶振動素子５（以下、「水晶」は省略することがある。）と、凹部３ａを塞ぐ蓋７とを有している。
【００２１】
振動素子５は、発振信号の生成に利用される振動を生じる部分である。素子搭載部材３及び蓋７は、振動素子５をパッケージングするパッケージ８を構成している。素子搭載部材３の凹部３ａは蓋７により封止され、その内部は、例えば、真空とされ、又は適宜なガス（例えば窒素）が封入されている。
【００２２】
素子搭載部材３は、例えば、素子搭載部材３の主体となる基体９と、振動素子５を実装するための１対の素子搭載パッド１１と、振動子１を不図示の回路基板等に実装するための複数（図示の例では４つ）の外部端子１３とを有している。
【００２３】
基体９は、セラミック等の絶縁材料からなり、上記の凹部３ａを構成している。素子搭載パッド１１は、金属等からなる導電層により構成されており、凹部３ａの底面に位置している。外部端子１３は、金属等からなる導電層により構成されており、基体９の下面に位置している。素子搭載パッド１１及び外部端子１３は、基体９内に配置された導体（図２。符号省略）によって互いに接続されている。蓋７は、例えば、金属から構成され、素子搭載部材３の上面にシーム溶接等により接合されている。
【００２４】
振動素子５は、例えば、水晶片１５と、水晶片１５に電圧を印加するための１対の励振電極１７と、振動素子５を１対の素子搭載パッド１１に実装するための１対の引出電極１９とを有している。
【００２５】
振動素子５は、概略板状であり、凹部３ａの底面に対向するように凹部３ａに収容される。そして、１対の引出電極１９が１対のバンプ２１（図２）により１対の素子搭載パッド１１に接合される。これにより、振動素子５は、素子搭載部材３に片持ち梁のように支持される。また、１対の励振電極１７は、１対の引出電極１９を介して１対の素子搭載パッド１１と電気的に接続され、ひいては、複数の外部端子１３のいずれか２つと電気的に接続される。バンプ２１は、例えば、導電性接着剤からなる。導電性接着剤は、例えば、導電性のフィラーが熱硬化性樹脂に混ぜ込まれて構成されている。
【００２６】
このようにして構成された振動子１は、例えば、不図示の回路基板の実装面に素子搭載部材３の下面を対向させて配置され、外部端子１３が半田などにより回路基板のパッドに接合されることによって回路基板に実装される。回路基板には、例えば、発振回路２３（図２）が構成されている。発振回路２３は、外部端子１３及び素子搭載パッド１１を介して１対の励振電極１７に交流電圧を印加して発振信号を生成する。この際、発振回路２３は、例えば、水晶片１５の厚みすべり振動のうち基本波振動を利用する。オーバートーン振動が利用されてもよい。
【００２７】
（水晶振動素子の構成）
水晶片１５は、例えば、いわゆるＡＴカット板である。すなわち、図１に示すように、水晶において、Ｘ軸（電気軸）、Ｙ軸（機械軸）及びＺ軸（光軸）からなる直交座標系ＸＹＺを、Ｘ軸回りに３０°以上４０°以下（一例として３５°１５′）回転させて直交座標系ＸＹ′Ｚ′を定義したときに、水晶片１５はＸＺ′平面に平行に切り出された板状である。
【００２８】
水晶片１５は、例えば、平板状である。すなわち、水晶片１５は、概ね全体が一定の厚さの板状とされており、特に符号を付さないが、１対の主面（符号省略）と、１対の主面を結ぶ複数の側面とを有している。主面の語は、最も広い面（板状部材の表裏）を指す。
【００２９】
なお、水晶片の外形がエッチングによって形成される場合、エッチングに対する水晶の異方性等によって比較的大きな誤差（系統誤差のようなもの）が生じる。本開示の説明においては、このような誤差の存在は無視するものとする。例えば、実際の水晶片１５においては、側面が主面に直交せずに傾斜していたり、側面が平面にならずに外側に膨らむ形状になっていたりすることがあるが、そのような傾斜及び／又は膨らみの図示及び説明は省略する。第三者の製品が本開示の技術に関わるか否か判断する場合においてもそのような誤差による差異は無視されてよい。なお、偶然誤差のようなものが無視されてよいことはもちろんである。
【００３０】
図１に示すように、水晶片１５の平面視における形状は長方形（ここでは正方形を含まない。）である。すなわち、水晶片１５（その主面）は、１対の長辺１５ｎと、１対の長辺１５ｎの両端同士を結ぶ１対の短辺１５ｓとを有している。なお、本開示において、長方形（１対の長辺及び１対の短辺を有する形状）は、角部が面取りされた形状を含むものとする。特に断りがない限り、ＡＴカット板では、例えば、主面はＸＺ′平面に略平行な面であり、長辺１５ｎはＸ軸に略平行な辺であり、短辺１５ｓはＺ′軸に略平行な辺である。
【００３１】
水晶片１５の厚みは、厚みすべり振動についての所望の固有振動数に基づいて設定される。例えば、基本波振動を用いる場合において、固有振動数をＦ（ＭＨｚ）とすると、この固有振動数Ｆに対応する水晶片１５の厚みｔ（μｍ）を求める基本式は、ｔ＝１６７０／Ｆである。なお、実際には、水晶片１５の厚みは、励振電極１７の重さ等も考慮して、基本式の値から微調整された値とされる。
【００３２】
水晶片１５の各種の寸法は、等価直列抵抗の低減等の種々の観点から、シミュレーション計算及び実験等に基づいて適宜に設定されてよい。一例を挙げると、例えば、長辺１５ｎの長さは６００μｍ以上１ｍｍ以下、短辺１５ｓの長さは５００μｍ以上７００μｍ以下（ただし長辺１５ｎの長さより短い）、水晶片１５の厚さは４０μｍ以上７０μｍ以下である。
【００３３】
１対の励振電極１７及び１対の引出電極１９は、水晶片１５の表面に重なる導電層により構成されている。導電層は、例えば、Ａｕ（金）、Ａｇ（銀）又はＡｕ−Ａｇ合金等の金属である。導電層は、互いに材料が異なる複数の層から構成されていてもよい。導電層の厚みは適宜に設定されてよいが、一例を示すと、０．０５μｍ以上０．３μｍ以下である。なお、図２等では、導電層は、その厚さが実際の厚さよりも厚く示されている。
【００３４】
１対の励振電極１７は、水晶片１５の１対の主面に位置している。１対の励振電極１７は、例えば、互いに同一の形状であり、平面透視においてその全体同士が重なっている。図１に示すように、励振電極１７の形状は、長方形の１対の長辺を外側へ膨らませたような形状（樽形状）となっている。すなわち、励振電極１７において、水晶片１５の１対の短辺１５ｓの内側にて１対の短辺１５ｓに沿って延びている１対の短縁１７ｓは、１対の短辺１５ｓに平行な直線状であり、水晶片１５の１対の長辺１５ｎの内側にて１対の長辺１５ｎに沿って延びており、１対の短縁１７ｓの両端同士を結んでいる１対の長縁１７ｎは、外側に膨らむ形状である。本開示の技術は、このような励振電極１７の形状を特徴の一つとしている。
【００３５】
１対の引出電極１９は、例えば、１対の励振電極１７からＸ軸方向の一方側（本実施形態では＋Ｘ側）に延び出ており、水晶片１５の１対の主面のうち少なくとも一方の主面に、１対のバンプ２１と接合される１対のパッド１９ａを有している。図示の例では、振動素子５は、１対の主面のいずれを凹部３ａの底面に対向させてもよいように、Ｘ軸回りに１８０°回転対称に形成されており、１対の引出電極１９は、１対の主面のそれぞれにおいて１対のパッド１９ａ（合計で２対のパッド１９ａ）を有している。なお、１対の主面の一方の主面に位置する励振電極１７と他方の主面に位置するパッド１９ａとは、水晶片１５の側面（短辺１５ｓに位置する側面及び／又は長辺１５ｎに位置する側面）を介して接続されている。
【００３６】
（励振電極の形状の詳細）
図３（ａ）は、振動素子５を示す平面図である。図３（ｂ）は、図３（ａ）のIIIｂ−IIIｂ線における断面図である。図３（ｃ）は、図３（ａ）のIIIｃ−IIIｃ線における断面図である。なお、図３（ｂ）及び図３（ｃ）では、水晶片１５の断面は、ハッチングが付されずに示されている。
【００３７】
励振電極１７の１対の長縁１７ｎは、上記のように外側に膨らむ形状である。別の観点では、長縁１７ｎは、その端部側部分よりも中央側部分が水晶片１５の長辺１５ｎに近い。具体的には、例えば、長縁１７ｎは、外側に膨らむ曲線からなる。当該曲線は、例えば、１対の短縁１７ｓに平行で１対の短縁１７ｓからの距離が等しい線Ｌ１（図３（ａ））を仮定したときに（距離Ｄ１＝距離Ｄ２）、当該線Ｌ１を対称軸として線対称の形状である。このような長さ方向に線対称な曲線としては、例えば、線Ｌ１上に位置する点Ｐ１を中心とする円弧が挙げられる。なお、図３（ａ）では、図示の都合上、点Ｐ１は円弧状の長縁１７ｎの正確な中心とはなっていない。
【００３８】
水晶片１５の両主面に交流電圧を印加すると、水晶片１５においては、利用対象の厚みすべり振動だけでなく、不要振動としての屈曲振動も生じる。その結果、例えば、図３（ｂ）に示すように、水晶片１５の長手方向を伝搬方向とする屈曲振動による定在波３１Ｌ（長手方向に腹及び節が配列される定在波）が生じる。及び／又は、図３（ｃ）に示すように、水晶片１５の短手方向を伝搬方向とする屈曲振動による定在波３１Ｗ（短手方向に腹及び節が配列される定在波）が生じる。
【００３９】
ここで、定在波３１Ｌは、水晶片１５の長手方向を伝搬方向とする屈曲振動による定在波のうち利用対象の厚みすべり振動と最も結合しやすいものとする。同様に、定在波３１Ｗは、水晶片１５の短手方向を伝搬方向とする屈曲振動による定在波のうち利用対象の厚みすべり振動と最も結合しやすいものとする。定在波３１Ｌの波長λＬ及び定在波３１Ｗの波長λＷ（μｍ）は、例えば、シミュレーション計算又は実験によって求められてよい。
【００４０】
なお、周波数温度特性は、例えば、温度変化に対する水晶片の固有振動数（振動素子の発振周波数）の変化量よって示される。ＡＴカット板においては、固有振動数の変化量は、概ね、温度を変数とする３次関数となる。
【００４１】
図３（ｂ）において点線Ｌ２で示すように、励振電極１７の短縁１７ｓは、定在波３１Ｌの節に一致している。なお、短縁１７ｓの位置は、節の位置（点線Ｌ２）から若干ずれていてもよい。そのずれ量は、例えば、λＬ／８以下又はλＬ／１６以下である。
【００４２】
同様に、図３（ｃ）において点線Ｌ３で示すように、励振電極１７の長縁１７ｎの所定部分は、定在波３１Ｗの節に一致している。なお、所定部分は、例えば、長縁１７ｎの中央部分（線Ｌ１上の部分）、又は長縁１７ｎのうち最も外側に位置する部分（本実施形態では両者は同一）である。また、所定部分の位置は、節の位置（点線Ｌ２）から若干ずれていてもよい。そのずれ量は、例えば、λＷ／８以下又はλＷ／１６以下である。
【００４３】
１対の引出電極１９それぞれは、例えば、励振電極１７から延び出ている１対の配線部１９ｂと、１対の配線部１９ｂと接続され、水晶片１５の下面に位置している１対のパッド１９ａ（既に述べたように本実施形態では上面にも１対のパッド１９ａが設けられている。）とを有している。配線部１９ｂは、例えば、長縁１７ｎ及び短縁１７ｓのうち短縁１７ｓのみから延び出ている。配線部１９ｂが延び出る短縁１７ｓは、例えば、１対の短縁１７ｓのうち＋Ｘ側に位置する短縁１７ｓである。もちろん、−Ｘ側の短縁１７ｓであってもよい。１対のパッド１９ａは、配線部１９ｂの幅方向において配線部１９ｂよりも幅広に形成されており、また、水晶片１５の短辺１５ｓに沿って配列されている。
【００４４】
以上のとおり、本実施形態では、振動素子５は、平面視において１対の長辺１５ｎ及び１対の短辺１５ｓを有している板状の水晶片１５と、水晶片１５の両主面に重なっている１対の励振電極１７と、を有している。１対の励振電極１７それぞれは、平面視において、１対の短辺１５ｓの内側にて１対の短辺１５ｓに沿って延びている１対の短縁１７ｓと、１対の長辺１５ｎの内側にて１対の長辺１５ｎに沿って延びている１対の長縁１７ｎと、を有している。１対の短縁１７ｓは、１対の短辺１５ｓに平行な直線状であり、１対の長縁１７ｎは、平面視において外側に膨らむ形状である。
【００４５】
また、別の観点では、本実施形態に係る振動子１は、上記のような振動素子５と、振動素子５をパッケージングしているパッケージ８とを有している。
【００４６】
従って、長辺１５ｎと長縁１７ｎとの距離ｄ１（図３（ａ））は、水晶片１５の長手方向の位置によって異なる。その結果、例えば、距離ｄ１に依存する定在波（上記の定在波３１Ｗとは別のもの）が水晶片１５の長手方向の比較的長い範囲に亘って生じるおそれが低減され、利用対象の厚みすべり振動と結合することを抑制できる。ひいては、例えば、特定の温度において等価直列抵抗の上昇が生じたり、及び／又は振動素子５の周波数温度特性に局所的な乱れが生じたりするおそれを低減できる。
【００４７】
さらに、励振電極１７が楕円形状ではなく、樽形状であることから、例えば、まず、長方形の励振電極を設計し、その特性をさらに向上させるように本開示の励振電極１７を設計することができる。従って、例えば、長方形の励振電極の成膜量及び電極寸法に関して、最適値が求められているとき、又はこれらの値の変更では特性改善が困難なときに特性をさらに向上させることができる。別の観点では、長方形の励振電極についての設計のノウハウを利用することができる。
【００４８】
なお、長縁１７ｎの膨らみの程度は適宜に設定されてよい。長縁１７ｎが長辺１５ｎに平行な直線よりも多少なりとも外側に膨らむことによって、多少なりとも距離ｄ１に依存する定在波の発生を抑制できる。本願発明者は、長縁１７ｎの曲率半径を短縁１７ｓの長さの約１５倍〜２５倍の範囲で変化させて振動素子５を試作し、その特性を調べ、いずれの曲率半径においても特性が向上することを確認している。
【００４９】
また、本実施形態では、水晶片１５は、平板状である。
【００５０】
このような水晶片１５においては、メサ型の水晶片（後述する第２実施形態参照）等に比較して、水晶片１５の外縁付近へエネルギーが漏れて振動が生じやすい。従って、長縁１７ｎが外側に膨らむことによる定在波の発生の抑制効果による特性向上が現れやすい。
【００５１】
また、本実施形態では、水晶片１５をその長手方向に伝搬する屈曲振動による定在波３１Ｌの波長をλＬとしたときに、１対の短縁１７ｓそれぞれが、定在波３１Ｌの節から１／８λＬ以内の範囲に位置している。
【００５２】
従って、例えば、短縁１７ｓが定在波３１Ｌの腹に位置する態様（当該態様も本開示に係る技術に含まれる）に比較して、短縁１７ｓにおける定在波３１Ｌによる振動は小さい。その結果、例えば、定在波３１Ｌが厚みすべり振動と結合して振動素子５の周波数温度特性に影響を及ぼすおそれが低減される。
【００５３】
また、本実施形態では、水晶片１５をその短手方向に伝搬する屈曲振動による定在波３１Ｗの波長をλＷとしたときに、１対の長縁１７ｎそれぞれの中央部分が、定在波３１Ｗの節から１／８λＷ以内の範囲に位置している。
【００５４】
従って、例えば、長縁１７ｎの中央部分が定在波３１Ｗの腹に位置する態様（当該態様も本開示に係る技術に含まれる）に比較して、長縁１７ｎの中央部分における定在波３１Ｗによる振動は小さい。その結果、例えば、定在波３１Ｗが水晶片１５の長手方向中央における厚みすべり振動と結合して振動素子５の周波数温度特性に影響を及ぼすおそれが低減される。
【００５５】
また、本実施形態では、１対の長縁１７ｎそれぞれは、１対の短縁１７ｓに平行で１対の短縁１７ｓからの距離が等しい線Ｌ１を対称軸として線対称な曲線状である。
【００５６】
ここで、振動エネルギーの分布の形状（エネルギーの等高線の形状）は、励振電極１７の中心（図形重心：そのまわりでの一次モーメントが０であるような点）を中心とする円乃至は楕円となる。従って、長縁１７ｎの形状を上記のようにすることによって、励振電極１７の形状を振動エネルギーの分布の形状に近づけることができ、効率的にエネルギー閉じ込め効果を得ることができる。
【００５７】
また、本実施形態では、振動素子５は、１対の励振電極１７と接続されている１対の引出電極１９を更に有している。１対の引出電極１９それぞれは、自己が接続されている励振電極１７の１対の長縁１７ｎ及び１対の短縁１７ｓのうちの１対の短縁１７ｓのいずれかのみに接続されている。
【００５８】
従って、例えば、１対の引出電極１９が長縁１７ｎ及び短縁１７ｓの双方又は長縁１７ｎのみから延び出る態様（これらの態様も本開示に係る技術に含まれる）に比較して、長縁１７ｎの長さが減じられない。その結果、例えば、長縁１７ｎが外側に膨らむ形状であることによって奏される効果がより発揮される。また、例えば、引出電極１９が長縁１７ｎから延び出ていないことから、長縁１７ｎの膨らみを変えても、引出電極１９の面積は変化しない。ひいては、引出電極１９が水晶片１５に印加する電界の変化が抑制される。その結果、例えば、長縁１７ｎの設計変更によって意図しないスプリアスが生じるおそれが低減され、設計変更が容易化される。
【００５９】
また、本実施形態では、１対の引出電極１９は、１対の短辺１５ｓの一方に沿って配列されている１対のパッド１９ａを含んでいる。
【００６０】
従って、例えば、長縁１７ｎの膨らみを変えても、長縁１７ｎと１対の引出電極１９との間の距離は変化しない。ひいては、励振電極１７と引出電極１９との間に形成される電界の変化が抑制される。その結果、例えば、短縁１７ｓを膨らむ形状にして、この膨らみを調整する態様に比較して、意図しないスプリアスが生じるおそれが低減される。
【００６１】
また、本実施形態では、水晶片１５は、ＡＴカット水晶片であり、１対のパッド１９ａは、＋Ｘ側の短辺１５ｓに沿って配列されている。
【００６２】
従って、振動素子５は、＋Ｘ側を固定端として片持ち梁状に支持される。この場合、例えば、振動素子５が−Ｘ側を固定端として片持ち梁状に支持される態様（当該態様も本開示に係る技術に含まれる）に比較して、周波数温度特性を向上させることができる。その結果、長縁１７ｎを膨らむ形状にすることによる特性向上の効果と相俟って、周波数温度特性に優れた振動素子５を実現することができる。
【００６３】
＜第２実施形態＞
以下の説明では、第１実施形態の構成と同一又は類似する構成については、第１実施形態の構成に付した符号を付すことがあり、また、説明を省略することがある。第１実施形態の構成に対応する（類似する）構成について、第１実施形態の構成とは異なる符号を付した場合においても、特に断りがない事項については、第１実施形態の構成と同様である。
【００６４】
図４は、第２実施形態に係る水晶振動素子２０５を示す斜視図である。
【００６５】
振動素子２０５は、例えば、第１実施形態の振動素子５と同様に、素子搭載部材３及び蓋７とを含むパッケージ８によってパッケージされて水晶振動子を構成するものである。
【００６６】
振動素子２０５は、いわゆるメサ型である点のみが第１実施形態の振動素子５と相違する。励振電極１７及び引出電極１９は、基本的に第１実施形態のものと同様である。ただし、振動素子２０５がメサ型であることによって、引出電極１９は段差を有している。具体的な寸法が振動素子２０５がメサ型であることに応じて適宜に設定されてよいことはもちろんである。
【００６７】
メサ型である振動素子２０５の水晶片２１５は、メサ部２２５と、平面視においてメサ部２２５を囲み、１対の主面間（Ｙ′軸方向）の厚みがメサ部２２５よりも薄い外周部２２７とを有している。このような形状により、例えば、エネルギー閉じ込め効果が向上する。
【００６８】
メサ部２２５の形状は、例えば、互いに平行な１対の主面を有する板状である。メサ部２２５の平面形状は、例えば、長方形（ここでは正方形を含まない）であり、１対の長辺２２５ｎ及び１対の短辺２２５ｓを有している。ＡＴカット板では、例えば、メサ部２２５の主面はＸＺ′平面に略平行な面であり、長辺２２５ｎはＸ軸に略平行な辺であり、短辺２２５ｓはＺ′軸に略平行な辺である。
【００６９】
外周部２２７の形状は、例えば、メサ部２２５を無視すると、互いに平行な１対の主面を有する板状である。外周部２２７の外縁の形状は、水晶片２１５全体としての平面形状であり、また、第１実施形態における水晶片１５の平面形状と同様である。すなわち、外周部２２７（水晶片２１５）は、１対の長辺２１５ｎ及び１対の短辺２１５ｓを有している。ＡＴカット板では、例えば、外周部２２７の主面はＸＺ′平面に略平行な面であり、長辺２１５ｎはＸ軸に略平行な辺であり、短辺２１５ｓはＺ′軸に略平行な辺である。
【００７０】
平面視において、メサ部２２５は、例えば、水晶片２１５（外周部２２７）の外縁に対して、Ｚ′軸方向においては中心に位置し、Ｘ軸方向においては一方側（引出電極１９とは反対側）にずれて位置している。ただし、メサ部２２５は、Ｘ軸方向において水晶片１５の中心に位置してもよい。
【００７１】
Ｙ′軸方向において外周部２２７は、メサ部２２５の中央に位置している。すなわち、メサ部２２５の外周部２２７からの高さ（水晶片２１５をメサ型にするための外周部２２７における掘り込み量）は、水晶片２１５の１対の主面同士で同等である。
【００７２】
メサ部２２５の厚みは、第１実施形態における水晶片１５の厚みと同様に、厚みすべり振動についての所望の固有振動数に基づいて設定される。外周部２２７の厚みは、エネルギー閉じ込め効果の観点などから適宜に設定される。例えば、水晶片２１５の１対の主面の一方側における、メサ部２２５の主面と外周部２２７の主面との高さの差（外周部２２７における掘り込み量）は、メサ部２２５の厚みの５％以上１５％以下であり、例えば１０％程度である。
【００７３】
水晶片２１５の各種の寸法は、第１実施形態と同様に、適宜に設定されてよい。一例を挙げると、長辺２１５ｎの長さは６００μｍ以上１ｍｍ以下、短辺２１５ｓの長さは５００μｍ以上７００μｍ以下（ただし長辺２１５ｎの長さより短い）、メサ部２２５の厚みは４０μｍ以上７０μｍ以下、長辺２２５ｎの長さは４５０μｍ以上７５０μｍ以下（ただし長辺２１５ｎの長さより短い）、短辺２２５ｓの長さは４００μｍ以上６５０μｍ以下（ただし短辺２１５ｓの長さ及び長辺２２５ｎの長さより短い）である。
【００７４】
平面視において、１対の励振電極１７は、メサ部２２５よりも小さく、メサ部２２５の主面に収まっている。１対の引出電極１９は、パッド１９ａが外周部２２７に位置しており、配線部１９ｂは、メサ部２２５から外周部２２７に亘っている。
【００７５】
本実施形態においても、振動素子２０５は、平面視において１対の長辺２１５ｎ及び１対の短辺２１５ｓを有する板状の水晶片２１５と、水晶片２１５の両主面に重なっている１対の励振電極１７と、を有している。１対の励振電極１７それぞれは、平面視において、１対の短辺２１５ｓの内側にて１対の短辺２１５ｓに沿って延びている１対の短縁１７ｓと、１対の長辺２１５ｎの内側にて１対の長辺２１５ｎに沿って延びている１対の長縁１７ｎと、を有している。１対の短縁１７ｓは、１対の短辺２１５ｓに平行な直線状であり、１対の長縁１７ｎは、平面視において外側に膨らむ形状である。
【００７６】
従って、例えば、第１実施形態と同様の効果が奏される。例えば、長縁１７ｎと長辺２１５ｎとの距離に依存する定在波を生じにくくすることができ、かつ長方形をベースとした設計が可能である。
【００７７】
また、本実施形態では、水晶片２１５は、１対の励振電極１７が重なっているメサ部２２５と、メサ部２２５よりも薄く、かつ平面視においてメサ部２２５を囲む外周部２２７と、を有している。メサ部２２５は、平面視において、１対の長辺２１５ｎに平行な１対の長辺２２５ｎ、及び１対の短辺２１５ｓに平行な１対の短辺２２５ｓを有する形状である。１対の励振電極１７は、メサ部２２５よりも小さい。
【００７８】
従って、励振電極１７の長縁１７ｎ及び短縁１７ｓの形状は、メサ部２２５の長辺２２５ｎ及び短辺２２５ｓに対しても、水晶片２１５の長辺２１５ｎ及び短辺２１５ｓに対してと同様の効果を奏する。例えば、長縁１７ｎと長辺２２５ｎとの距離に依存する定在波を生じにくくすることができ、かつ長方形のメサ部をベースとした設計が可能である。
【００７９】
本発明は、以上の実施形態に限定されず、種々の態様で実施されてよい。
【００８０】
圧電振動素子を有する圧電振動デバイスは、圧電振動子に限定されない。例えば、圧電振動素子に加えて、圧電振動素子に電圧を印加して発振信号を生成する集積回路素子（ＩＣ：Integrated Circuit）を有する発振器であってもよい。また、例えば、圧電振動デバイス（圧電振動子）は、圧電振動素子の他に、サーミスタ等の他の電子素子を有するものであってもよい。また、圧電振動デバイスは、恒温槽付のものであってもよい。圧電振動デバイスにおいて、圧電振動素子をパッケージングするパッケージの構造は、適宜な構成とされてよい。例えば、パッケージは、上面及び下面に凹部を有する断面Ｈ型のものであってもよい。
【００８１】
圧電片は、水晶片に限定されない。例えば、圧電片は、水晶に金属等からなるドーパントを注入した材料からなるものであってもよい。ただし、このような水晶にドーパントを注入した材料からなる圧電片は、水晶片の一種と捉えられてもよい。また、圧電片は、例えば、セラミックからなるものであってもよい。
【００８２】
圧電振動素子は、厚みすべり振動を利用するものに限定されない。厚みすべり振動を利用する場合において、圧電片（水晶片）は、ＡＴカット板に限定されない。どのような振動モードを利用するものであっても、圧電片の直線状の長辺と、励振電極の外側に膨らむ形状の長縁との組み合わせによって、両者の距離に依存する定在波を生じにくくすることができる等の何かしらの効果が奏される。例えば、厚みすべり振動を利用する場合において、水晶片は、ＢＴカット板であってもよい。
【００８３】
圧電振動素子は、１対のパッド（引出電極）が一主面に設けられて片持ち梁状に支持されるものに限定されない。例えば、１対の引出電極が１対の励振電極から互いに逆方向に延び、圧電振動素子の両端が支持されてもよい。また、圧電振動素子は、ばね端子等によって立てられた状態で支持されるものであってもよい。
【００８４】
励振電極の長縁は、円弧（曲率が全体に亘って一定の曲線）に限定されない。例えば、長縁は、一部に直線を含んでいてもよいし、曲率が長さ方向の位置によって変化していてもよい。また、例えば、励振電極は、楕円の長手方向の両端を長軸に直交する直線で切り取った形状であってもよい。長縁は、１対の短縁からの距離が等しい対称軸に対して線対称の形状でなくてもよい。例えば、円弧の中心は、１対の短縁に平行で１対の短縁の一方よりも他方に近い線上に位置していてもよい。また、その結果、１対の直線状の短縁は、互いに長さが異なっていてもよい。
【００８５】
励振電極の長縁及び／又は短縁は、実施形態の説明で言及したように、屈曲振動の定在波の節ではなく、腹に位置してもよい。また、屈曲振動の定在波を考慮せずに長縁及び／又は短縁の位置が設定されてもよい。
【００８６】
水晶片は、平板状のもの及びメサ型のものに限定されない。例えば、水晶片は、いわゆるコンベックス型又はべベル型のものであってもよい。なお、べベル型のものは、面取り量が小さければ、平板状の一種とされてもよい。
【００８７】
圧電振動素子がメサ型である場合において、励振電極は、メサ部よりも広くてもよい。この場合であっても、例えば、励振電極の長縁と圧電片全体の長辺との距離が一定でないことによって当該距離に依存する定在波の発生が抑制される。また、励振電極がメサ部よりも広い場合又は狭い場合において、メサ部の形状は、矩形でなくてもよい。
【符号の説明】
【００８８】
１…水晶振動子（圧電振動デバイス）、５…水晶振動素子（圧電振動素子）、１５…水晶片（圧電片）、１５ｎ…長辺、１５ｓ…短辺、１７…励振電極、１７ｎ…長縁、１７ｓ…短縁。
【図１】
2018088657.tif 000003
【図２】
2018088657.tif 000004
【図３】
2018088657.tif 000005
【図４】
2018088657.tif 000006